(57)【特許請求の範囲】
【請求項１】
レンズの光軸方向に延在して設けられ、一端側の端面に鏡面が形成された支持軸と、
前記支持軸の他端側を保持する第１の固定部と、
前記光軸方向に貫通する保持穴を備え、前記支持軸の前記一端側を前記保持穴に挿入された状態で保持し、前記第１の固定部に保持された前記他端側に対し前記一端側の前記光軸と直交する方向の位置を調整可能である第２の固定部と、
前記レンズを保持し、前記支持軸に支持されるレンズ保持部材と、
を備えることを特徴とするレンズ鏡筒。
【請求項２】
前記レンズ保持部材は、前記光軸方向に移動可能に前記支持軸を挿通される請求項１に記載のレンズ鏡筒。
【請求項３】
前記第１の固定部および前記第２の固定部が設けられた筒部材を備える請求項１または請求項２に記載のレンズ鏡筒。
【発明の詳細な説明】
【技術分野】
【０００１】
本発明は、支持軸およびレンズ鏡筒の製造方法に関する。
【背景技術】
【０００２】
反射面を有する基準軸を軸受けに挿入して、反射面による反射光で軸受けの軸垂を測定する方法がある（特許文献１参照）。
特許文献１  特開２００３−１６６９０６号公報
【発明の概要】
【発明が解決しようとする課題】
【０００３】
基準軸は一時的に挿入して軸垂測定後は抜き取るので、軸受けに対して不可避な「がた」がある。この「がた」のために軸垂の測定精度が低くなることが避けられなかった。
【課題を解決するための手段】
【０００４】
レンズ鏡筒は、レンズの光軸方向に延在して設けられ、一端側の端面に鏡面が形成された支持軸と、前記支持軸の他端側を保持する第１の固定部と、前記光軸方向に貫通する保持穴を備え、前記支持軸の前記一端側を前記保持穴に挿入された状態で保持し、前記第１の固定部に保持された前記他端側に対し前記一端側の前記光軸と直交する方向の位置を調整可能である第２の固定部と、前記レンズを保持し、前記支持軸に支持されるレンズ保持部材と、を備える構成とした。
【図面の簡単な説明】
【０００７】
【図１】撮像装置１００の模式的断面図である。
【図２】レンズユニット２００の部分的な断面図である。
【図３】支持軸２７０の傾き調整を説明する斜視図である。
【図４】支持軸２７０の傾き調整を説明する斜視図である。
【図５】鏡面２７２の使用法を説明する部分断面図である。
【図６】支持軸２７０の傾き調整を説明する斜視図である。
【図７】レンズユニット２００の部分的な断面図である。
【図８】支持軸２７１の傾き調整を説明する斜視図である。
【図９】支持軸２７１の傾き調整を説明する斜視図である。
【図１０】固定部材２８１の斜視図である。
【図１１】固定部材２８１の正面図である。
【図１２】固定部材２８１の背面図である。
【図１３】固定部材２８１の断面図である。
【図１４】他の固定部材２８９の断面図である。
【図１５】支持軸２７１の固定を説明する斜視図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、撮像装置１００の模式的断面図である。撮像装置１００は、レンズユニット２００およびカメラボディ３００を備える。
【００１０】
なお、以降の記載においては、レンズユニット２００において、物体側を「前」、像側を「後」と記載する。また、カメラボディ３００において、レンズユニット２００が装着される側を「前」、その反対側で、ファインダ３５０、表示部３４０等が配置される側を「後」または「背面」と記載する。
【００１１】
レンズユニット２００は、固定筒２１０、鏡筒ＣＰＵ２１９、複数のレンズ２２０、２３０、２４０、２５０およびレンズマウント２６０を有する。固定筒２１０の一端は、レンズマウント２６０を介して、カメラボディ３００のボディマウント３６０に結合される。複数のレンズ２２０、２３０、２４０、２５０は、共通の光軸Ｘ上に配列されて光学系をなす。
【００１２】
鏡筒ＣＰＵ２１９は、レンズユニット２００における制御を司ると共に、カメラボディ３００との通信も担う。これにより、カメラボディ３００に装着されたレンズユニット２００はカメラボディ３００と連携して動作する。また、防振ユニットを備えたレンズユニット２００では、鏡筒ＣＰＵ２１９が、振動を打ち消すレンズの移動方向および移動量を算出して、防振用のアクチュエータを制御する。
【００１３】
レンズマウント２６０およびボディマウント３６０の結合は解除できる。これにより、カメラボディ３００には、同じ規格のレンズマウント２６０を有する他のレンズユニット２００を装着できる。
【００１４】
カメラボディ３００は、レンズユニット２００に対してボディマウント３６０の背後に配されたミラーユニット３７０を備える。ミラーユニット３７０の下方には合焦光学系３８０が配される。また、ミラーユニット３７０の上方にはフォーカシングスクリーン３５２が、それぞれ配される。
【００１５】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００１６】
ミラーユニット３７０の後方には、シャッタ装置４００、ローパスフィルタ３３２、撮像素子３３０、主基板３２０および表示部３４０が順次配される。液晶表示板等により形成される表示部３４０は、カメラボディ３００の背面に現れる。主基板３２０には、本体ＣＰＵ３２２および画像処理回路３２４等の電子部品の一部が実装される。
【００１７】
ミラーユニット３７０は、メインミラー３７１およびサブミラー３７４を含む。メインミラー３７１は、メインミラー回動軸３７３により軸支されたメインミラー保持枠３７２に支持される。サブミラー３７４は、サブミラー回動軸３７６により軸支されたサブミラー保持枠３７５に支持される。サブミラー保持枠３７５は、メインミラー保持枠３７２に対して回動する。よって、メインミラー保持枠３７２が回動した場合、サブミラー保持枠３７５もメインミラー保持枠３７２と共に変位する。
【００１８】
メインミラー保持枠３７２の前端が降下した場合、メインミラー３７１は、レンズユニット２００から入射した入射光束上に斜めに位置する。メインミラー保持枠３７２が上昇した場合、メインミラー３７１は、入射光束を避けた位置に退避する。
【００１９】
メインミラー３７１が入射光束上に位置する場合、レンズユニット２００を通じて入射した入射光束は、メインミラー３７１に反射され、フォーカシングスクリーン３５２に導かれる。フォーカシングスクリーン３５２は、レンズユニット２００の光学系と共役な位置に配されているので光学系が形成した被写体像が結ばれる。
【００２０】
フォーカシングスクリーン３５２に結像された像は、ペンタプリズム３５４およびファインダ光学系３５６を通じてファインダ３５０から観察される。被写体像の光束は、ペンタプリズム３５４を通過しているので、フォーカシングスクリーン３５２上の被写体像はファインダ３５０から正立正像として観察される。
【００２１】
測光センサ３９０は、ファインダ光学系３５６の上方に配され、ペンタプリズム３５４において分岐されさた入射光束の一部を受光する。測光センサ３９０は、被写体輝度を検出して、本体ＣＰＵ３２２に撮影条件の一部である露出条件を算出させる。また、入射光束の一部を三原色毎に測光して、オートホワイトバランスの算出にも与する。
【００２２】
メインミラー３７１は、入射した入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、本体ＣＰＵ３２２は、レンズユニット２００の光学系を合焦させる場合のレンズ２３０の目標位置を決定する。
【００２３】
上記のような撮像装置１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー３７１およびサブミラー３７４が退避位置に移動して、シャッタ装置４００が開く。これにより、レンズユニット２００から入射した入射光束は、ローパスフィルタ３３２を通過して、撮像素子３３０に入射する。
【００２４】
撮像素子３３０は、ＣＣＤセンサ（Ｃｈａｒｇｅ  Ｃｏｕｐｌｅｄ  Ｄｅｖｉｃｅ）、ＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの光電変換素子により形成され、受光した被写体像を電気信号に変換して出力する。撮像素子３３０から出力された電気信号は画像処理回路３２４において撮影画像データに変換される。
【００２５】
図２は、レンズユニット２００の一部を抜き出して示す断面図である。図１と共通の要素には同じ参照番号を付して重複する説明を省く。
【００２６】
レンズユニット２００は、固定筒２１０の内側に、光軸Ｘに平行な一対の支持軸２７０を有する。支持軸２７０の両端は，それぞれ固定筒２１０に対して固定される。
【００２７】
即ち、支持軸２７０の前端は、固定筒２１０の長手方向中程において、固定筒２１０の内側に形成されたリブ部２１２の固定穴２１４に差し込まれる。支持軸２７０の後端は、固定筒２１０の後端（図中右側）に固定された固定部材２８０の保持穴２８２に保持される。
【００２８】
保持穴２８２は、レンズユニット２００の前後方向に固定部材２８０を貫通する。よって、固定筒２１０の後端側から見た場合、保持穴２８２の内部には、支持軸２７０の端面が見える。保持穴２８２の内部に現れる支持軸２７０の端面は、光を反射する鏡面２７２をなす。
【００２９】
支持軸２７０は、光軸Ｘと平行な状態で、固定筒２１０に対して固定される。また、支持軸２７０は、レンズ２５０を保持するレンズ保持枠２５２の嵌合部２５４および係合部２５６に挿通される。これにより、支持軸２７０に案内されるレンズ保持枠２５２と共に、レンズ２５０は光軸Ｘと平行な方向に移動する。
【００３０】
レンズユニット２００において、レンズ２２０、２３０、２４０、２５０は、光軸Ｘ上に配列されて光学系を形成する。この光学系においてレンズ２５０が光軸Ｘ方向に移動した場合、例えば、光学系の焦点位置または倍率が変化する。
【００３１】
上記のようなレンズユニット２００において、一対の支持軸２７０は、それぞれが光軸Ｘに対して平行に固定される。よって、支持軸２７０を固定筒２１０に固定する場合は、支持軸２７０の傾きが調整される。
【００３２】
なお、レンズユニット２００においては、固定筒２１０の先端に、レンズ２２０を保持するレンズ保持枠２２２が、ねじ穴２１７にねじ込まれた止めねじ２９１により固定される。また、レンズユニット２００においては、レンズ保持枠２３２に保持されたレンズ２３０も光軸Ｘ方向に移動可能に支持されるが、これについては他の図を参照して説明する。
【００３３】
図３から図６までは、支持軸２７０を固定筒２１０に固定する場合の傾き調整を説明する斜視図である。これらの図において、図１および図２と共通の要素には同じ参照番号を付して重複する説明を省く。
【００３４】
図３に示す段階では、固定筒２１０の後端側から挿入した支持軸２７０の先端が、リブ部２１２の固定穴２１４に差し込まれる。これにより、支持軸２７０の先端側の一端は、固定筒２１０に対して固定される。
【００３５】
既に説明した通り、支持軸２７０の後端側端面は鏡面２７２をなす。この鏡面２７２は、支持軸２７０の長手方向に対して垂直に形成されている。このような支持軸２７０は、例えば、ステンレス鋼、エンジニアリングプラスチック等を材料として形成できる。
【００３６】
また、鏡面２７２は、バフ研磨、精密研削等の機械加工の他、電解研磨、化学研磨等の電気化学的な表面処理により形成できる。また、支持軸２７０の材料が樹脂等である場合は、メッキ等により鏡面２７２を形成してもよい。
【００３７】
図示のように、固定筒２１０の後側端面には、支持軸２７０の後端を挟んでそれぞれ一対のねじ穴２１６が形成される。また、支持軸２７０と一方のねじ穴２１６の間には、固定筒２１０の一部を取り除いた切欠き部２１８が形成される。切欠き部２１８は、支持軸２７０の後端を変移させて傾きを調整する場合に、支持軸２７０を移動させる工具との干渉を避ける目的で形成されている。
【００３８】
図４に示す段階では、支持軸２７０の後端に固定部材２８０が装着される。固定部材２８０は、保持穴２８２、六角穴２８４および挿通穴２８６を有する。
【００３９】
保持穴２８２は、支持軸２７０の外径と同じ内径を有する。支持軸２７０の後端が保持穴２８２に挿入された場合、保持穴２８２の内面と支持軸２７０の外周面とが密着する。これにより、固定部材２８０は支持軸２７０の後端と一体的になる。
【００４０】
また、保持穴２８２は固定部材２８０を厚さ方向に貫通する。よって、保持穴２８２の内側には、支持軸２７０の端面に形成された鏡面が露出する。よって、固定筒２１０の外側から、保持穴２８２を通じて鏡面２７２に光ビームを照射できる。
【００４１】
六角穴２８４は、正六角形の形状を有する。よって、六角穴２８４の内径に等しい寸法のアーレンキーを六角穴２８４に挿入した場合、アーレンキーを操作して、固定部材２８０を回転させることなく変移させることができる。なお、固定筒２１０側には、六角穴２８４の裏側に切欠き部２１８が配されている。よって、六角穴２８４に差し込んだ工具の先端と固定筒２１０とが干渉することはない。
【００４２】
図５は、支持軸２７０の鏡面２７２の使用法を説明する部分断面図である。図４に示した通り、この段階においては、支持軸２７０の先端側は固定筒２１０に固定され、後端側には固定部材２８０が装着されている。また、固定部材２８０は、固定筒２１０に対して未だ固定されていない。
【００４３】
上記の状態で、支持軸２７０の鏡面２７２に、オートコリメータ１９９が射出する光ビームが照射される。オートコリメータ１９９は、鏡面２７２に光ビームを照射し、鏡面２７２により反射された反射ビームを受光して、光ビームと反射ビームとの光路のずれに基づいて鏡面２７２の傾きを検出する。
【００４４】
既に説明した通り、鏡面２７２は、支持軸２７０の長手方向に対して垂直に形成されている。よって、鏡面２７２の傾きをオートコリメータ１９９により測定することで、支持軸２７０の傾きを精度よく検出できる。
【００４５】
また、鏡面２７２は支持軸２７０の一部であって、支持軸２７０全体に対する位置関係が変化することはない。よって、オートコリメータ１９９の出力を監視しつつ、固定部材２８０の六角穴２８４に工具を差し込んで固定部材２８０を変位させることにより、支持軸２７０を光軸Ｘに対して高精度に平行にすることができる。
【００４６】
なお、上記のようなオートコリメータ１９９の機能に鑑みて、鏡面２７２は、少なくとも、オートコリメータ１９９の射出する光ビームを効率よく反射する表面性状を有する。換言すれば、他の帯域の光は反射しなくてもよいので、使用するオートコリメータ１９９の仕様に応じて鏡面加工を簡易にしてもよい。
【００４７】
図６は、支持軸２７０の傾き調整における次の段階を説明する斜視図である。上記のようにして支持軸２７０の傾きを調整して支持軸２７０と光軸Ｘとを平行にした後、固定部材２８０を止めねじ２９０により固定筒２１０に対して固定する。
【００４８】
これにより、固定部材２８０は、固定筒２１０に対して固定され、調整された支持軸２７０の傾きが保全される。なお、固定部材２８０の固定は、ねじ止めに限られるわけではなく、接着、溶着等であってもよい。
【００４９】
なお、固定部材２８０には、止めねじ２９０を挿通する挿通穴２８６が設けられている。挿通穴２８６は、止めねじ２９０の外径よりも大きな内径を有する。よって、止めねじ２９０を締め込まなければ、止めねじ２９０を挿通穴２８６に通し、ねじ穴２１６にある程度ねじ込んだ状態でも、固定部材２８０を変位させることができる。この状態で支持軸２７０の傾きを調整することにより、止めねじ２９０の僅かな回転で調整結果を保全できる。
【００５０】
上記のような一連の傾き調整は、一対の支持軸２７０のそれぞれに対して実行される。これにより、一対の支持軸２７０の各々が光軸Ｘに対して平行になると共に、一対の支持軸２７０は相互に平行になる。
【００５１】
図７は、レンズユニット２００の断面図であり、光軸Ｘを通る、図２とは別の断面を示す。図１および図２と共通の要素には同じ参照番号を付して重複する説明を省く。
【００５２】
レンズユニット２００は、固定筒２１０の前端側にも、光軸Ｘに平行な一対の支持軸２７１を備える。支持軸２７１の両端は、それぞれ固定筒２１０に対して固定される。なお、支持軸２７１は、図２に示した支持軸２７０に対して、固定筒２１０の周方向について異なる位置に配される。よって、図７には、支持軸２７０は現れない。
【００５３】
支持軸２７１の後側の一端は、固定筒２１０に形成されたリブ部２１２の固定穴２１３に差し込まれる。レンズユニット２００の先端側にあたる支持軸２７１の他端は、固定筒２１０の前端側（図中左側）に配された固定部材２８１に保持される。固定部材２８１は、固定筒２１０の前端面に固定されたレンズ保持枠２２２に支持される。
【００５４】
支持軸２７１のそれぞれは光軸Ｘと平行に配される。支持軸２７１は、レンズ２３０を保持するレンズ保持枠２３２の嵌合部２３４および係合部２３６に挿通される。これにより、レンズ２３０は、支持軸２７１に案内されたレンズ保持枠２３２と共に、固定筒２１０の内部で光軸Ｘと平行な方向に移動する。この光学系においてレンズ２３０が光軸Ｘ方向に移動した場合、例えば、光学系の焦点位置または倍率が変化する。
【００５５】
上記のようなレンズユニット２００において、一対の支持軸２７１は、それぞれが光軸Ｘに対して平行に固定される。よって、支持軸２７１を固定筒２１０に固定する場合は、支持軸２７１の傾きが調整される。
【００５６】
また、図７には、前述した支持軸２７０を固定する固定部材２８０が、固定筒２１０に対してねじ止めされていることが示される。固定部材２８０を固定する止めねじ２９０は、固定部材２８０の挿通穴２８６に挿通され、固定筒２１０のねじ穴２１６にねじ込まれる。これにより、固定部材２８０は、固定筒２１０の端面に固定される。
【００５７】
図８および図９は、支持軸２７１の傾き調整を説明する斜視図である。これらの図において、図１、図２および図７と共通の要素には同じ参照番号を付して重複する説明を省く。
【００５８】
図８に示す段階では、固定筒２１０の後端側から挿入した支持軸２７１の先端を、リブ部２１２の固定穴２１３に差し込む。これにより、支持軸２７１後端側の一端が、固定筒２１０に対して固定される。
【００５９】
支持軸２７１の前端側端面は鏡面２７３を形成する。鏡面２７３は、支持軸２７１の長手方向に対して垂直に形成される。また、鏡面２７３は、研磨等により、広い帯域の光に対して高い反射率を有する。
【００６０】
図９は、支持軸２７１の傾き調整における次の段階を説明する斜視図である。支持軸２７１の後端側端部を固定筒２１０に対して固定した後、固定筒２１０の前端面には、レンズ２２０のレンズ保持枠２２２が固定される。レンズ保持枠２２２は、図２に示した止めねじ２９１を固定筒２１０のねじ穴２１７にねじ込むことにより、固定筒２１０の前端面にねじ止めされる。
【００６１】
更に、レンズ保持枠２２２の径方向について、周縁部近傍に、固定部材２８１が配される。固定筒２１０の端面において円形に見える固定部材２８１は、中心に貫通穴２８３を有する。また、固定部材２８１の端面には、自身の直径方向にすりわり２８５が形成される。なお、固定部材２８１は、レンズ保持枠２２２に対して嵌まりこんでいるに過ぎず、レンズ保持枠２２２に対して回転させることができる。
【００６２】
図１０は、固定部材２８１単独の斜視図である。固定部材２８１は、全体として円筒形の形状を有し、中心を貫通する貫通穴２８３を有する。また、図９に示された、レンズ保持枠２２２に装着された場合に固定筒２１０の外側から見える端面には、溝状のすりわり２８５が形成される。
【００６３】
図１１は、固定部材２８１を、固定筒２１０の先端側から見た様子を示す正面図である。図示のように、固定部材２８１において、貫通穴２８３は、固定部材２８１自体の中心と同軸に形成される。
【００６４】
これに対して、すりわり２８５は、固定部材２８１の端面において、中心Ｐを通る直径上に形成される。よって、マイナスドライバ等の工具を、すりわり２８５に差し込んで、固定部材２８１を中心Ｐの周りに回転させることができる。
【００６５】
図１２は、固定部材２８１の背面図である。固定部材２８１において、レンズ保持枠２２２に取り付けた場合に、固定筒２１０の内側に面して配される端面には、偏芯穴２８７が形成される。偏芯穴２８７は、円筒形の陥没部であり、固定部材２８１自体の中心Ｐに対して異なる位置にある中心Ｑを有する。偏芯穴２８７は、支持軸２７１の外径と同じ内径を有する。
【００６６】
図１３は、固定部材２８１の、中心Ｐを通る断面図である。図示のように、偏芯穴２８７は、固定部材２８１を長手方向に貫通しておらず、固定部材２８１の内部に底面を有する。ただし、偏芯穴２８７は、貫通穴２８３と連通する。
【００６７】
再び図９を参照すると、支持軸２７１の前側先端は、レンズ保持枠２２２に装着された固定部材２８１の偏芯穴２８７に差し込まれる。この状態で、すりわり２８５にマイナスドライバを差し込んで固定部材２８１を回転させると、偏芯穴２８７は、光軸Ｘと直交する方向に変位する。既に説明した通り、支持軸２７１の後端側端部は、固定筒２１０に対して固定されているので、固定部材２８１を回転させることにより、支持軸２７１の傾きを変化させることができる。
【００６８】
また、貫通穴２８３は、偏芯穴２８７の内部に連通している。よって、貫通穴２８３を通じて、偏芯穴２８７に差し込まれた支持軸２７１の端面に形成された鏡面２７３に、オートコリメータ１９９の光ビームを照射できる。よって、オートコリメータ１９９により支持軸２７１の傾きを測定しながら、固定部材２８１を回転させて支持軸２７１の傾きを調整できる。
【００６９】
支持軸２７１の傾きが調整された場合は、レンズ保持枠２２２に対して固定部材２８１を接着または溶着することにより調整結果を保全できる。また、レンズ保持枠２２２の周面からホローセット等を螺入して、固定部材２８１の周面に当接させることにより固定部材２８１を固定する構造にしてもよい。
【００７０】
上記のように、偏芯穴２８７を有する固定部材２８１を用いて、支持軸２７１の傾きを変化させることができる。しかしながら、固定部材２８１を一周させても支持軸２７１が光軸Ｘと平行にならなかった場合は、固定部材２８１の中心Ｐと偏芯穴２８７の中心Ｑとの間隔が異なる固定部材２８１を用いて、改めて支持軸２７１の傾きを調整する。これにより、支持軸２７１を、精度よく、光軸Ｘに平行にできる。
【００７１】
固定部材２８１を回転させた場合に、オートコリメータ１９９が検出する光ビームと反射ビームのずれが、ずれる方向だけ変化して間隔は一定になる場合がある。このような場合は、支持軸２７１の先端を固定部材２８１の中心に固定することにより、支持軸２７１を光軸Ｘと平行にできる。しかしながら、偏芯穴２８７を有する固定部材２８１では、支持軸２７１の端部を中心に位置決めすることができない。
【００７２】
図１４は、他の固定部材２８９の断面図である。固定部材２８９において、図１０から図１３までに示した固定部材２８１と同じ要素には同じ参照番号を付して重複する説明を省く。
【００７３】
固定部材２８９は、固定部材２８１の偏芯穴２８７に換えて、貫通穴２８３と同軸の同軸穴２９７を有する。同軸穴２９７は、支持軸２７１の外径と同じ内径を有する。また、同軸穴２９７は、貫通穴２８３と連通する。
【００７４】
図１５は、支持軸２７１の固定を説明する斜視図である。前述のように、偏芯穴２８７を有する固定部材２８１は、レンズ保持枠２２２に取り付けた状態で支持軸２７１の傾きを変化させることができる。
【００７５】
しかしながら、図８に示した状態で、支持軸２７１が既に光軸Ｘと平行な場合は、支持軸２７１の傾き調整は不要になる。また、既に光軸Ｘに平行な支持軸２７１に対して偏芯穴２８７を有する固定部材２８１を装着した場合、却って支持軸２７１の傾きが変化してしまう。そこで、支持軸２７１の傾き調整が不要な場合は、図１４に示した、同軸穴２９７を有する固定部材２８９により、支持軸２７１を固定してもよい。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７８】
１００  撮像装置、１９９  オートコリメータ、２００  レンズユニット、２１０  固定筒、２１２  リブ部、２１３、２１４  固定穴、２２２、２３２、２５２  レンズ保持枠、２１６、２１７  ねじ穴、２１８  切欠き部、２１９  鏡筒ＣＰＵ、２２０、２３０、２４０、２５０  レンズ、２３４、２５４  嵌合部、２３６、２５６  係合部、２６０  レンズマウント、２７０、２７１  支持軸、２７２、２７３  鏡面、２８０、２８１、２８９  固定部材、２８２  保持穴、２８３  貫通穴、２８４  六角穴、２８５  すりわり、２８６  挿通穴、２８７  偏芯穴、２９０、２９１  止めねじ、２９７  同軸穴、３００  カメラボディ、３２０  主基板、３２２  本体ＣＰＵ、３２４  画像処理回路、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディマウント、３７０  ミラーユニット、３７１  メインミラー、３７２  メインミラー保持枠、３７３  メインミラー回動軸、３７４  サブミラー、３７５  サブミラー保持枠、３７６  サブミラー回動軸、３８０  合焦光学系、３８２  焦点検出センサ、３９０  測光センサ、４００  シャッタ装置
【図１】
0005903767.tif 000002
【図２】
0005903767.tif 000003
【図３】
0005903767.tif 000004
【図４】
0005903767.tif 000005
【図５】
0005903767.tif 000006
【図６】
0005903767.tif 000007
【図７】
0005903767.tif 000008
【図８】
0005903767.tif 000009
【図９】
0005903767.tif 000010
【図１０】
0005903767.tif 000011
【図１１】
0005903767.tif 000012
【図１２】
0005903767.tif 000013
【図１３】
0005903767.tif 000014
【図１４】
0005903767.tif 000015
【図１５】
0005903767.tif 000016